(57)【要約】【課題】塵埃除去動作を行いながら塵埃の除去状況を確認できるレンズ交換式カメラを提供する。【解決手段】撮影レンズ１０１を通過した被写体光束を受けて、被写体像信号を出力するＣＣＤ２２１と、このＣＣＤ２１１の前側に配置された防塵フィルタ２１８に付着した塵埃を除去する塵埃除去手段（２２０、２１６）と、ＣＣＤ２２１の出力に基づいて被写体の動画像を表示する液晶モニタ２６を具備し、除塵釦３９が操作された際には、絞込み動作を行い（＃５１）、除塵動作を行うようにし（＃５９）、防塵フィルタ２１８に付着した塵埃を除去させながら、液晶モニタ２６にスルー画表示を行う。【選択図】  図７
2007318709.tif 000002
【特許請求の範囲】
【請求項１】
撮影レンズを通過した被写体光束を受けて、被写体像信号を出力する撮像手段と、
この撮像手段の撮像面の前側に配置された防塵フィルタと、
この防塵フィルタを振動させる加振手段と、
上記撮像手段の出力に基づいて被写体の動画像を表示する表示手段と、
上記撮影レンズ内に配置された絞り手段と、
を具備し、
上記動画像の表示中に上記加振手段による加振動作を行う場合には、それに連動して上記絞り手段を絞り込み状態に設定することを特徴とするレンズ交換式カメラ。
【請求項２】
上記絞り手段を絞り込み状態にさせた後、上記加振手段を動作させることを特徴とする請求項１に記載のレンズ交換式カメラ。
【請求項３】
手動操作部材の第１の操作に応答して上記絞り手段を絞り込み状態にさせることを特徴とする請求項２に記載のレンズ交換式カメラ。
【請求項４】
上記手動操作部材の第２の操作に応答して上記加振手段を動作させることを特徴とする請求項３に記載のレンズ交換式カメラ。
【請求項５】
上記加振手段を第１の所定時間だけ動作せることを特徴とする請求項４に記載のレンズ交換式カメラ。
【請求項６】
上記絞り手段を上記第１の所定時間よりも長い第２の所定時間だけ絞込み状態にすることを特徴とする請求項５に記載のレンズ交換式カメラ。
【請求項７】
上記加振手段を動作させた後、上記絞り手段を絞り込み状態にすることを特徴とする請求項１に記載のレンズ交換式カメラ。
【請求項８】
上記手動操作部材の操作に応答して上記加振手段を動作させることを特徴とする請求項７に記載のレンズ交換式カメラ。
【請求項９】
上記手動操作部材の操作解除に応答して上記加振手段を停止させることを特徴とする請求項８に記載のレンズ交換式カメラ。
【請求項１０】
上記加振手段の停止後に上記絞り手段を所定時間だけ絞込み状態にすることを特徴とする請求項９に記載のレンズ交換式カメラ。
【請求項１１】
撮影レンズを通過した被写体光束を受けて、被写体像信号を出力する撮像手段と、
この撮像手段の撮像面の前側に配置された防塵フィルタと、
この防塵フィルタを振動させる加振手段と、
上記撮像手段の出力に基づいて被写体の動画像を表示する表示手段と、
上記撮影レンズ内に配置された絞り手段と、
上記加振手段によって上記防塵フィルタを振動させる際には、上記絞り手段を絞り込み状態にさせ、かつ、上記表示手段に動画表示を行わせる制御手段と、
を具備したことを特徴とするレンズ交換式カメラ。
【請求項１２】
撮影レンズを通過した被写体光束を受けて、被写体像信号を出力する撮像手段と、
この撮像手段の撮像面またはその前側に配置された光学素子に付着した塵埃を除去する除去する塵埃除去手段と、
上記撮像手段の出力に基づいて被写体の動画像を表示する表示手段と、
上記撮影レンズ内に配置された絞り手段と、
上記塵埃除去手段を動作させる際には、上記絞り手段を絞り込み状態にさせ、かつ、上記表示手段に動画表示を行わせる制御手段と、
を具備したことを特徴とするデジタルカメラ。
【請求項１３】
撮影レンズを通過した被写体光束を受けて、被写体像信号を出力する撮像手段と、
この撮像手段の撮像面またはその前側に配置された光学素子に付着した塵埃を除去する除去する塵埃除去手段と、
上記撮像手段の出力に基づいて被写体の動画像を表示する表示手段と、
上記撮影レンズ内に配置された絞り手段と、
上記表示手段に動画表示を行わせた状態で、上記塵埃除去手段を動作させた後に、上記絞り手段を絞り込み状態にさせる制御手段と、
を具備したことを特徴とするデジタルカメラ。
【請求項１４】
撮影レンズを通過した被写体光束を受けて、被写体像信号を出力する撮像手段と、
この撮像手段の撮像面またはその前側に配置された光学素子に付着した塵埃を除去する除去する塵埃除去手段と、
上記撮像手段の出力に基づいて被写体の動画像を表示する表示手段と、
上記撮影レンズ内に配置された絞り手段と、
上記表示手段に動画表示を行わせた状態で、上記塵埃除去手段に上記塵埃の除去動作をさせ、その後に、上記絞り手段を絞り込み状態にさせる制御手段と、
を具備したことを特徴とするデジタルカメラ。
【発明の詳細な説明】
【技術分野】
【０００１】
本発明は、撮像素子を有するレンズ交換式カメラに係わり、特にその撮像素子の撮像面またはその前面に配置された光学部材に付着した塵埃を除去可能なカメラに関する。
【背景技術】
【０００２】
撮像素子の撮像面の近くに設けた光学素子面に塵埃が付着すると、その影が写り込んで画質の低下を招く。この問題に対処する第１の方法として撮像素子部可能な限り密閉構造にしていた。また第２の方法として、例えばレンズ交換式一眼レフカメラなどにおいては、レンズカメラ本体から取り外した状態で特殊な動作モードを用いてその撮像素子を外部に露呈させ、ブロアー等でその撮像素子表示面に付着している塵を吹き払っていた。さらに第３の方法として、防塵フィルタの周縁部に固着した圧電素子等の加振部材を振動させ、それによって防塵フィルタを振動させて付着した塵埃を除去する技術もある（特許文献１）。さらに、第４の方法として、塵埃の付着を検出したら画像処理によって塵埃画像を消去する技術も提案されている（特許文献２）
【特許文献１】特開２００３−３１９２２２号公報
【特許文献２】特開２００５−３４１３８１号公報
【発明の開示】
【発明が解決しようとする課題】
【０００３】
このように撮像面やその近傍の光学素子における塵埃除去は種々なされているが、これらのやり方では、塵埃除去が確実になされたか否かは、塵埃除去動作後に撮影を行い、その画像を表示装置に表示させることによって初めて確認できるだけであった。すなわち、事後的に塵埃が除去されたか否かを確認することしかできなかった。
【０００４】
本発明は、このような事情を鑑みてなされたものであり、塵埃除去動作を行うと共に塵埃の除去状況を確認できるレンズ交換式カメラを提供することを目的とする。
【課題を解決するための手段】
【０００５】
上記目的を達成するため第１の発明に係わるレンズ交換式カメラは、撮影レンズを通過した被写体光束を受けて、被写体像信号を出力する撮像手段と、この撮像手段の撮像面の前側に配置された防塵フィルタと、この防塵フィルタを振動させる加振手段と、上記撮像手段の出力に基づいて被写体の動画像を表示する表示手段と、上記撮影レンズ内に配置された絞り手段を具備し、上記動画像の表示中に上記加振手段による加振動作を行う場合には、それに連動して上記絞り手段を絞り込み状態に設定する。
【０００６】
また、第２の発明に係わるレンズ交換式カメラは、上記第１の発明において、上記絞り手段を絞り込み状態にさせた後、上記加振手段を動作させる。
さらに、第３の発明に係わるレンズ交換式カメラは、上記第２の発明において、手動操作部材の第１の操作に応答して上記絞り手段を絞り込み状態にさせる。
さらに、第４の発明に係わるレンズ交換式カメラは、上記第３の発明において、上記手動操作部材の第２の操作に応答して上記加振手段を動作させる。
さらに、第５の発明に係わるレンズ交換式カメラは、上記第４の発明において、上記加振手段を第１の所定時間だけ動作せる。
さらに、第６の発明に係わるレンズ交換式カメラは、上記第５の発明において、上記絞り手段を上記第１の所定時間よりも長い第２の所定時間だけ絞り込み状態にする。
【０００７】
さらに、第７の発明に係わるレンズ交換式カメラは、上記第１の発明において、上記加振手段を動作させた後、上記絞り手段を絞り込み状態にする。
さらに、第８の発明に係わるレンズ交換式カメラは、上記第７の発明において、上記手動操作部材の操作に応答して上記加振手段を動作させる。
さらに、第９の発明に係わるレンズ交換式カメラは、上記第８の発明において、上記手動操作部材の操作解除に応答して上記加振手段を停止させる。
さらに、第１０の発明に係わるレンズ交換式カメラは、上記第９の発明において、上記加振手段の停止後に上記絞り手段を所定時間だけ絞り込み状態にする。
【０００８】
上記目的を達成するため第１１の発明に係わるレンズ交換式カメラは、撮影レンズを通過した被写体光束を受けて、被写体像信号を出力する撮像手段と、この撮像手段の撮像面の前側に配置された防塵フィルタと、この防塵フィルタを振動させる加振手段と、上記撮像手段の出力に基づいて被写体の動画像を表示する表示手段と、上記撮影レンズ内に配置された絞り手段と、上記加振手段によって上記防塵フィルタを振動させる際には、上記絞り手段を絞り込み状態にさせ、かつ、上記表示手段に動画表示を行わせる制御手段を具備する。
【０００９】
上記目的を達成するため第１２の発明に係わるデジタルカメラは、撮影レンズを通過した被写体光束を受けて、被写体像信号を出力する撮像手段と、この撮像手段の撮像面またはその前側に配置された光学素子に付着した塵埃を除去する除去する塵埃除去手段と、上記撮像手段の出力に基づいて被写体の動画像を表示する表示手段と、上記撮影レンズ内に配置された絞り手段と、上記塵埃除去手段を動作させる際には、上記絞り手段を絞り込み状態にさせ、かつ、上記表示手段に動画表示を行わせる制御手段を具備する。
上記目的を達成するため第１３の発明に係わるデジタルカメラは、撮影レンズを通過した被写体光束を受けて、被写体像信号を出力する撮像手段と、この撮像手段の撮像面またはその前側に配置された光学素子に付着した塵埃を除去する除去する塵埃除去手段と、上記撮像手段の出力に基づいて被写体の動画像を表示する表示手段と、上記撮影レンズ内に配置された絞り手段と、上記表示手段に動画表示を行わせた状態で、上記塵埃除去手段を動作させた後に、上記絞り手段を絞り込み状態にさせる制御手段を具備する。
上記目的を達成するため第１４の発明に係わるデジタルカメラは、撮影レンズを通過した被写体光束を受けて、被写体像信号を出力する撮像手段と、この撮像手段の撮像面またはその前側に配置された光学素子に付着した塵埃を除去する除去する塵埃除去手段と、上記撮像手段の出力に基づいて被写体の動画像を表示する表示手段と、上記撮影レンズ内に配置された絞り手段と、上記表示手段に動画表示を行わせた状態で、上記塵埃除去手段に上記塵埃の除去動作をさせ、その後に、上記絞り手段を絞り込み状態にさせる制御手段を具備する。
【発明の効果】
【００１０】
本発明のレンズ交換式カメラは、動画像の表示中に塵埃除去動作を行う場合には、それに連動して絞り手段を絞り込み状態に設定するようにしたので、塵埃除去動作を行うと共に塵埃の除去状況を確認できるレンズ交換式カメラを提供することができる。
【発明を実施するための最良の形態】
【００１１】
以下、図面に従って本発明を適用したデジタル一眼レフカメラを用いて好ましい第１実施形態について説明する。図１は、本発明の実施形態に係るデジタル一眼レフカメラについて背面からみた外観斜視図である。
カメラ本体２００の上面にはレリーズ釦２１、モードダイヤル２２、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ（Charge Coupled Devices）２２１（図２参照）の出力に基づいて被写体像の画像データの取り込みを行う撮影動作を実行する。
【００１２】
モードダイヤル２２は回転可能に構成された操作部材であり、モードダイヤル２２上に設けられた撮影モードを表す絵表示または記号に指標に合致させることにより、フルオート撮影モード（ＡＵＴＯ）、プログラム撮影モード（Ｐ）、絞り優先撮影モード（Ａ）、シャッタ撮影優先モード（Ｓ）、マニュアル撮影モード（Ｍ）、ポートレート撮影モード、風景撮影モード、マクロ撮影モード、スポーツ撮影モード、夜景撮影モード等の各撮影モードを選択することができる。コントロールダイヤル２４は回転可能に構成された操作部材であり、情報表示画面等において、コントロールダイヤル２４の回転操作により所望の設定値やモード等を選択することができる。
【００１３】
カメラ本体２００の背面には、液晶モニタ２６、再生釦２７、メニュー釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、OK釦３１、表示切換釦３４、ホワイトバランス釦３７、ＩＳＯ感度釦３８、除塵釦３９が配置されている。液晶モニタ２６は、撮影済みの被写体像を再生表示し、また、撮影条件やメニューを表示するための表示装置である。これらの表示を行うことができるものであれば、液晶に限らない。再生釦２７は、撮影後に記録した被写体画像を液晶モニタ２６に表示させることを指示するための操作釦である。後述するＳＤＲＡＭ２３７、記録媒体２４５にＪＰＥＧ等の圧縮モードで記憶されている被写体の画像データを伸張して表示する。
【００１４】
十字釦３０は液晶モニタ２６上で、Ｘ方向とＹ方向の２次元方向にカーソルの移動を指示するための操作部材であり、また、後述するように、記録媒体に記録された被写体像を表示するにあたって、記録媒体の指示にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。
【００１５】
表示切換釦３４は、後述するスルー画表示と情報表示とを切り換えるための操作釦であって、スルー画表示は、被写体像記録用のＣＣＤ２２１の出力に基づいて液晶モニタ２６に被写体像を観察用に表示するモードであり、情報表示はカメラの撮影情報を表示設定するために液晶モニタ２６に表示されるモードである。ホワイトバランス釦３７は、ホワイトバランスを設定するための操作釦であり、このホワイトバランス釦３７を操作することによって、液晶モニタ２６に設定画面が表示され、オート、太陽光、曇天、日陰、電球、蛍光灯１〜３、ワンショット等の各モードが表示され、前述のコントロールダイヤル２４の回転操作によって選択し、ＯＫ釦３１の操作によって決定することができる。
【００１６】
ＩＳＯ感度釦３８は、ＩＳＯ感度を設定するための操作釦であり、このＩＳＯ感度釦３８を操作するによって、液晶モニタ２６に設定画面が表示され、オート、感度１００〜１６００の各感度を、前述のコントロールダイヤル２４の回転操作によって選択し、ＯＫ釦３１の操作によって決定することができる。カメラ任せにする場合には、オートを選択し、撮影意図がある場合には、感度１００〜１６００の範囲内で撮影者が任意に設定することができる。除塵釦３９は、後述するように、撮像素子としてのＣＣＤ２２１の前側に配置された除塵機構を動作させるための操作釦である。本実施形態では超音波振動を利用した除塵機構を採用し、ＣＣＤ２２１の前側の光学素子を超音波振動させることで付着した塵埃を除去している。カメラ本体２００の側面には、記録媒体収納蓋４０が開閉自在に取り付けられている。この記録媒体収納蓋４０を開放すると、この内部に記録媒体２４５用の装填スロットが設けられており、記録媒体２４５はカメラ本体２００に対して、脱着自在に装填可能となっている。
【００１７】
次に、図２を用いて、デジタル一眼レフカメラの電気系を主とする全体構成を説明する。本実施形態に係わるデジタル一眼レフカメラは、交換レンズ１００とカメラ本体２００とから構成される。本実施形態では、交換レンズ１００とカメラ本体２００は別体で構成され、通信接点３００にて電気的に接続されているが、交換レンズ１００とカメラ本体２００を一体に構成することも可能である。
【００１８】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００１９】
カメラ本体２００内には、被写体像を観察光学系に反射するためにレンズ光軸に対して４５度傾いた位置と、被写体像を撮像素子(後述のＣＣＤ２２１)に導くために跳ね上がった位置との間で、回動可能な可動反射ミラー２０１が設けられている。この可動反射ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。このペンタプリズム２０７の出射側(図１で右側)には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００２０】
上述の可動反射ミラー２０１の中央付近はハーフミラーで構成されており、この可動反射ミラー２０１の背面には、ハーフミラー部で透過した被写体光をカメラ本体２００の下部に反射するためのサブミラー２０３が設けられている。このサブミラー２０３は、可動反射ミラー２０１に対して回動可能であり、可動反射ミラー２０１が跳ね上がっているときには、ハーフミラー部を覆う位置に回動し、可動反射ミラー２０１が被写体像観察位置にあるときには、図示する如く可動反射ミラー２０１に対して垂直となる位置にある。この可動反射ミラー２０１はミラー駆動機構２１９によって駆動されている。また、サブミラー２０３の下方には測距用センサを含む測距回路２１７が配置されており、この回路は、レンズ１０１、１０２によって結像される被写体像の焦点ズレ量を測定するための回路である。
【００２１】
可動反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には撮像素子としてのＣＣＤ２２１が配置されており、レンズ１０１、１０２によって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。上述のシャッタ２１３とＣＣＤ２２１の間には、除塵機構を構成する防塵フィルタ２１８とこの防塵フィルタ２１８の周縁部に固着された圧電素子２２０からなる除塵機構が配置されている。この圧電素子２２０は防塵フィルタ駆動回路２１６によって駆動される。この防塵フィルタ駆動回路２１６と除塵機構の詳細は、図３乃至図５を用いて後述する。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正、白黒・カラーモード処理、スルー画像処理といった各種の画像処理を行う。
【００２２】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、後述するシーケンスコントローラ(以下、「ボディＣＰＵ」と称す)２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００２３】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００２４】
上述の測光センサ２１１、シャッタ駆動機構２１５、防塵フィルタ駆動回路２１６、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００２５】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、ＩＳＯ設定モードを指示するスイッチ、ホワイトバランス設定を指示するスイッチ、液晶モニタ２６の画面でカーソルの動きを指示するするスイッチ、撮影モードを指示するスイッチ、選択された各モード等を決定するＯＫスイッチ、表示切換を指示するスイッチ等の各種スイッチ２５５は、スイッチ検出回路２５３を介してデータバス２６１に接続されている。
【００２６】
次に、前述の除塵機構について図３を用いて説明する。被写体像を受光し光電変換するＣＣＤ２２１は、硬質電気回路基板２９０に半田付けによって固定支持されている。このＣＣＤ２２１の前側〈図中左側を言い、撮影レンズ１０１側でもある〉には保護ガラス２９１が一体に構成されている。保護ガラス２９１の前側には撮影レンズ１０１、１０２を透過した被写体光束から高周波成分を取り除くための光学的ローパスフィルタ２９５が配設されており、保護ガラス２９１の周縁部には光学的ローパスフィルタ２９５を受けるためのローパスフィルタ受け部材２９３が配設されていて、塵埃等が入り込まないよう密封されている。光学フィルタ２９５の前側には透明なガラスで構成された防塵フィルタ２１８が配設され、この防塵フィルタ２１８の周縁部には、防塵フィルタ２１８に対して所定の振動を加えるための圧電素子２２０が配設されている。
【００２７】
この圧電素子２２０は、防塵フィルタ２１８と撮像素子収納ケース２９７によってはさみこまれており、不図示の取付け部材にて撮像素子収納ケース２９７の端部に押圧固定されている。そして撮像素子収納ケース２９７は硬質電気回路基板２９０にネジ２９９によって固定されている。なお、圧電素子２２０での振動は、撮像素子収納ケース２９７に伝播されないように遮蔽されている。ＣＣＤ２２１や光学フィルタ２９５等は、防塵フィルタ２１８、圧電素子２２０および撮像素子収納ケース２９７等によって密封されている。圧電素子２２０は防塵フィルタ駆動回路２１６によって、防塵フィルタ２１８が所定の超音波で振動するよう駆動され、その振動を利用して防塵フィルタ２１８の前面に付着した塵埃を除去する。なお、撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。
【００２８】
次に、図４及び図５を用いて塵埃除去動作を行う防塵フィルタ駆動回路２１６とその周辺回路について説明する。防塵フィルタ駆動回路２１６内に配置されたＮ進カウンタ４１は、入出力回路２３９内のクロックジェネレータ５５から出力されるクロックパルス（Ｓｉｇ１）を入力し、また入出力回路２３９の出力ＩＯポートであるＤ_Ｃｎｔ端子から出力されるカウンタ設定値Ｎを入力する。Ｎ進カウンタ４１はクロックパルスをカウントしてカウンタ設定値Ｎとなるとパルス（Ｓｉｇ２）を出力する。このパルスＳｉｇ２を入力するＤフリップフロップから構成される１／２分周回路４２は、パルスＳｉｇ２の立ち上がり信号を入力するたびに出力（Ｓｉｇ３）が反転する分周回路である。
【００２９】
１／２分周回路４２の出力端子はインバータ４３の入力端子に接続され、このインバータ４３の出力端子は、ＭＯＳトランジスタ（Ｑ０２）４４ｃのゲートに接続される。ＭＯＳトランジスタ（Ｑ０２）４４ｃのソースはトランス４５の一次側の一端に接続され、ドレインは抵抗（Ｒ００）４６を介して接地されている。また、１／２分周回路４２の出力端子はＭＯＳトランジスタ（Ｑ０１）４４ｂのゲートに接続され、ＭＯＳトランジスタ（Ｑ０１）４４ｂのソースはトランス４５の一次側の他端に接続され、ドレインはＭＯＳトランジスタ（Ｑ０２）４４ｃのドレインに接続されている。
【００３０】
トランス４５の一次側中間タップは電源オンオフ用のＭＯＳトランジスタ（Ｑ００）４４ａのドレインに接続しており、このＭＯＳトランジスタ（Ｑ００）４４ａのゲートは、入出力回路２３９のＩＯポートであるＰ_ＰｗＣｏｎｔ端子に接続され、このトランジスタのソースは、電源回路５３ａに接続されている。また、トランス４５の二次側の一端は、圧電素子２２０の一端に接続され、圧電素子２２０の他端は接地されている。圧電素子２２０はトランス４５による昇圧交流電圧（Ｓｉｇ４）を受け、超音波振動を行う。
【００３１】
以上のように、防塵フィルタ駆動回路２１６とその周辺回路は構成されている。まず、ＭＯＳトランジスタ（Ｑ００）４４ａのゲートに、入出力回路２３９のＰ_ＰｗＣｏｎｔ端子からＬレベル信号が印加されると、トランジスタ４４ａはｐチャネルタイプであることから、導通し、電源回路５３ａから電源電圧がトランス４５の一次側中間タップに印加される。
【００３２】
この状態で、入出力回路２３９のクロックジェネレータ５５からクロックパルス（図５のＳｉｇ１参照）がＮ進カウンタ４１に出力されると、Ｎ進カウンタ４１はカウントを開始し、入出力回路２３９のＤ_ＮＣｎｔを介して設定された設定値Ｎまでカウントすると、出力端子からパルス信号Ｓｉｇ２を出力する（図５のＳｉｇ２参照）。Ｎ進カウンタ４１からのパルス信号Ｓｉｇ２を入力する１／２分周回路４２によって、デューティ比が５０％のパルス信号（図５のＳｉｇ３）に変換され、このパルス信号はＭＯＳトランジスタ（Ｑ０１）４４ｂのゲートと、インバータ４３を介してＭＯＳトランジスタ（Ｑ０２）４４ｃに印加される。
【００３３】
ＭＯＳトランジスタ（Ｑ０１）４４ｂとＭＯＳトランジスタ（Ｑ０２）４４ｃは交互にオン状態となり、トランス４５の一次側には中間タップを介して電源回路５３ａから電源電圧が印加され、トランス４５の巻線数比に従って昇圧された電圧（図５のＳｉｇ４）が二次側から出力され、圧電素子２２０に印加される。圧電素子２２０に印加される高圧電圧の周波数は入出力回路２３９のＤ_ＮＣｏｎｔ端子から設定される設定値Ｎによって変化させることができるので、圧電素子２２０の共振周波数となるように設定値Ｎを決めれば効率よく塵埃を除去することができる。なお、入出力回路２３９から防塵フィルタ駆動回路２１６に供給される信号は、ボディＣＰＵ２２９の制御によるものである。
【００３４】
次に、図６を用いて、カメラ本体２００の表示および動作モードの概略について説明する。
情報表示Ｍ１００はカメラ本体２００の電源スイッチがオンとなったときの初期設定される状態であり、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００３５】
情報表示Ｍ１００の状態において、レリーズ釦２１を半押しすることによって、１Ｒスイッチがオンとなり、撮影動作Ａ  Ｍ１３０に入り、レリーズ釦２１から手を離し、半押しが解除されることによって情報表示Ｍ１００に戻る。この撮影動作準備動作Ｍ１３０では、測光・測距等の撮影のための準備動作を行う。この後、レリーズ釦２１を全押しすると、撮影動作Ａ  Ｍ１３１を行う。この撮影動作Ａにおいて、ＣＣＤ２２１から被写体像の光電変換信号を取り込み、画像処理回路２２７によって画像処理の上、画像データを記録媒体２４５に記録動作を行う。
【００３６】
また、情報表示モードＭ１００において、表示切換釦３４を操作すると、スルー画表示モードＭ３００となる。このスルー画表示モードでは、前述したように被写体像記録用のＣＣＤ２２１の出力を用いて観察用に被写体像を液晶モニタ２６に表示する。このスルー画表示モードＭ３００において、レリーズ釦２１を半押しした状態では特に動作は何も行われないが、さらにレリーズ釦２１を全押しすると、撮影動作Ｂ  Ｍ３３０が実行される。撮影動作Ｂでは、ＣＣＤ２２１によって取得した被写体画像データを記録媒体２４５に記録する。撮影動作Ｂが終了すると、スルー画表示モードに戻る。
【００３７】
次に、前述のスルー画表示モードＭ３００について、図７に示すフローチャートを用いて、その詳細を説明する。
スルー画表示モードに入ると、測光センサ２１１の出力に基づいて被写体輝度の測定を行い、ここで得た被写体輝度に基づいてシャッタ速度及び／又は絞り値を演算により求める露光量演算を行う（＃１）。なお、ここで、求めるシャッタ速度及び／または絞り値は、前述の撮影モードにしたがって行う。この後、ＣＣＤ２２１の出力に基づいて被写体像を得るための準備を行う。まず、可動反射ミラー２０１をアップさせ（＃３）、レンズ１０１、１０２からの被写体光束をファインダ光学系からＣＣＤ２２１側に導くようにする。可動反射ミラー２０１が上昇すると、ステップ＃５に進み、シャッタ２１３を開放状態にする。シャッタ２１３が開放となることにより、ＣＣＤ２２１上に被写体像が結像する。
【００３８】
この後、ＣＣＤ２２１の駆動にあたっての電子シャッタスピードと感度の条件設定を行うために、ステップ＃１で求めた測光・露光量の演算結果を用いてスルー画条件設定１のサブルーチンを実行する（＃７）。このサブルーチンの実行によって液晶モニタ２６に適切な明るさ（明度）の像を表示することができるが、このサブルーチンの詳細は図１０を用いて後述する。スルー画条件設定１が終了すると、これで、スルー画表示の準備ができたので、ステップ＃９において、液晶モニタ２６に被写体像の表示を開始させる。なお、スルー画表示動作の制御はこの開始指示を受けて画像処理回路２２７にて行われる。
【００３９】
次に、ステップ＃２１において、レリーズ釦２１が全押しされたか、すなわち２Ｒがオンか否かの判定を行う。オンの場合には、撮影動作Ｂを行うための準備動作として、スルー画表示の停止のための一連の動作をステップ＃２３および＃２５において行う。まず、ＣＣＤ２２１への電源供給を停止し、液晶モニタ２６でのスルー画表示を停止する（＃２３）。続いて、シャッタ２１３を閉じる（＃２５）。シャッタ２１３が閉じたら、撮影動作Ｂのルーチンに移行し、ＣＣＤ２２１の出力に基づいて静止画像データを取得し、記録媒体２４５に静止画像データの記録を行う。撮影動作Ｂが終わると、ステップ＃１に戻り、前述の動作を繰り返す。
【００４０】
ステップ＃２１に戻り、２Ｒがオフであった場合には、ステップ＃３１に進み、表示切換釦３４がオンか否かの判定を行う。判定の結果、表示切換釦３４が操作されておりオンであった場合には、情報表示モードＭ１００に戻るための準備動作を行う。この準備動作のステップ＃３３および＃３５は、前述のステップ＃２３およびステップ＃２５と同様の処理なので、詳細は省略する。ステップ＃３５にてシャッタ閉じ動作が終了すると、可動反射ミラー２０１をダウンさせ、被写体光束をファインダ光学系に導くようにしてから、前述の情報表示モードＭ１００に移行する。
【００４１】
ステップ＃３１に戻り、判定の結果、表示切換釦３４がオフであった場合には、ステップ＃３９に進み、電源スイッチ〈不図示〉がオフか否かを判定する。判定の結果オフだった場合は、電源オフを行うがその前の準備動作として、ステップ＃４１からステップ＃４５を行うが、これらは前述のステップ＃３３から＃３７と同様であるので、詳細は省略する。ステップ＃４５にて可動反射ミラー２０１がダウンすると電源をオフし、動作を停止する。
【００４２】
ステップ＃３９に戻り、電源スイッチの判定の結果、オフではなかった場合には、ステップ＃４７以下に進み、除塵動作と絞り込み動作を行うか否かの判定を行う。まず、ステップ＃４７において、絞り１０３が絞り込み済みであるか否かの判定を行う。これは、除塵釦３９が操作された際には併せて絞り込み動作を行うが、この絞り込み動作が既に行われているか否かの判定である。判定の結果、未だ絞り込み動作が行われていない場合にはＮｏで抜け、ステップ＃４９において除塵釦３９がオンか否かの判定を行う。除塵釦３９が操作され、オンである場合には、ステップ＃５１に進み、装着されている撮影レンズの最小絞り値まで絞り込み動作を行う。絞り込み動作を行うとＣＣＤ２２１に到達する光量が減少するので、ステップ＃５３においてスルー画条件の設定２を行い、一定明度の画面の明るさを維持できるように調整を行う。この後、ステップ＃５５において、５秒タイマをリセットしてスタートさせる。これは、絞り込み動作を除塵釦３９の操作に応答して５秒間継続させるようにするための計時を行うためである。
【００４３】
５秒タイマをスタートさせた後、またはステップ＃４７において絞り込み済みと判定された場合には、ステップ＃５７に進み、５秒経過した否かの判定を行う。５秒経過していない場合には、続いてステップ＃５９において、除塵動作がすでに済み（終了している）か否かの判定を行い、済みでなければ、ステップ＃６１において除塵動作を行う。除塵動作は、防塵フィルタ駆動回路２１６を介して圧電素子２２０に駆動電圧を印加し超音波で防塵フィルタ２１８を振動させ、これによって塵埃等を除去する。ステップ＃５７に戻り、５秒経過していた場合には、ステップ＃６３に進み、絞り１０３を開放にもどす。
【００４４】
ステップ＃４９において除塵釦３９がオフであった場合、またはステップ＃５９にて除塵動作が済みである場合、またはステップ＃６３の絞り開放が終了すると、ステップ＃６５に進む。ここでスルー画条件の設定２を実行した後に、ステップ＃２１に戻り、前述のステップを繰り返す。ステップ＃５３と＃６５におけるスルー画条件の設定２は、前述したように液晶モニタ２６におけるスルー画表示の明度を適切に保つことを目的とするサブルーチンである。ステップ＃７のスルー画条件設定１はスルー画表示前であったので、測光センサ２１１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤ２２１の各画素出力の加重平均値に対応した値である。
【００４５】
次に、ステップ＃６１の除塵のサブルーチンについて、図８を用いて説明する。このサブルーチンに入ると、まず２秒タイマをリセットし、スタートさせる（＃２５１）。本実施形態においては、除塵動作は２秒間連続的に実行され、この時間を計時するためである。続いて、防塵フィルタ回路２１６を介して圧電素子２２０に対して加振動作を開始する（＃２５３）。これによって、前述したように、防塵フィルタ２１８を超音波で振動させ、塵埃を除去する。ステップ＃２５５にて加振動作が２秒経過したことを検出すると、ステップ＃２５７に進み、加振動作を停止する。
【００４６】
このように、本実施形態においては、スルー画表示中に除塵釦３９を操作すると、絞り込み動作（ステップ＃５１）を行うことにより、所謂、プレビュー表示を行う（但し、５秒以内）。そのまま除塵釦３９が操作されていれば、除塵動作（ステップ＃６１）を行い、防塵フィルタ２１８に付着した塵埃の除去を行う（但し、２秒以内）。この間、絞り込み動作が併せて行われているので、絞り込み状態では塵埃の影を確認することができる。開放絞りでは塵埃の影を視認し難いが、絞り込んだ状況でスルー画表示することから、防塵フィルタ２１８に付着した塵埃が除去されたか否かを肉眼で確認することができる。従来の塵埃の除去方法では、実際に撮影してみないと塵埃が除去されたか否かを確認することができないのに対して、本実施形態によれば、実際に除塵動作中にその効果が分かるので、大変便利である。絞り込み動作の時間を除塵動作の時間よりも長くすることにより、除塵動作の進行状況を効率よく確認することができる。
【００４７】
なお、本実施形態においては、絞り込み動作の時間を５秒間、除塵動作の時間を２秒間としたが、この時間は適宜、変更することができる。また、絞り込みの場合の絞り値は、最小絞り値以外にもプログラムモード等においては演算された絞り値としたり、またマニュアルモードや絞り値優先モードにおいては設定された絞り値でも良いし、これに限らず、スルー画表示との兼ね合いで、除塵動作で塵埃の除去状態が見易くなる絞り値に絞り込むようにしても良い。さらに、スルー画表示モード以外のモードで除塵釦３９を操作した場合には、除塵動作のみを行うようにすれば良い。
【００４８】
次に、前述撮影動作Ａ  Ｍ１３１と撮影動作Ｂ  Ｍ３３０について、図９に示すフローチャートを用いて、その詳細を説明する。
撮影動作Ａに入ると、まず、測光センサ２１１の出力に基づいて被写体輝度の測定を行う（＃２２１）。ここで得た被写体輝度に基づいてシャッタ速度及び／又は絞り値を演算により求める（＃２２３）。なお、ここで、求めるシャッタ速度及び／または絞り値は、設定された撮影モードにしたがったプログラム線図に基づいて行う。この後、測距回路２１７の出力に基づいて撮影レンズ１０１、１０２のピントズレ量を演算で求め、このズレ量に基づいて、レンズＣＰＵ１１１を介してレンズ駆動回路１０７を駆動しピント合わせを行う（＃２２５）。
【００４９】
次に、レリーズ釦２１の全押しによってオンとなる第２レリーズスイッチがオンか否かかの判定を行い（＃２３１）、オンではない場合には、レリーズ釦２１の半押しによってオンとなる第１レリーズスイッチがオンか否かかの判定を行う（＃２２９）。判定の結果、オンであった場合には、レリーズ釦は半押し状態ではあるが、全押し状態とはなっていないので、ステップ＃２２９と＃２３１を繰り返し行う待機状態となる。ステップ＃２２９にてレリーズ釦２１から手が離れ、第１レリーズスイッチがオフとなった場合には、Ｎｏで抜けて元のルーチンに戻る。
【００５０】
一方、レリーズ釦２１が全押しされると、第２レリーズスイッチがオンとなり、ステップ＃２３１をＹｅｓで抜けて、ステップ＃２３３以下において、実際に撮像を行い画像データの記録を行うための処理、すなわち撮影動作を実行する。まず、可動ミラー２０１のアップ動作を行い（＃２３３）、これによって、撮影レンズ１０１、１０２を透過した被写体光束はＣＣＤ２２１側に導かれる〈但し、この時点ではシャッタ２１３が閉じているので、ＣＣＤ２２１上には結像していない〉。続いて、絞り１０３の絞り込み動作を開始し（＃２３５）、絞り込みが終了すると撮像動作を行う（＃２３７）。
【００５１】
この撮像動作は、まずＣＣＤ２２１により撮像動作を開始させると共に、シャッタ２１３の先幕の走行を開始させ、所定時間経過後に後幕の走行を開始させる。後幕走行終了時間経過後にＣＣＤ２２１による撮像を停止させ、ＣＣＤ駆動回路２２３によって画像信号の読み出しを行い、画像処理回路２２７による画像処理を実行する。この画像処理された画像データはバッファメモリとしてのＳＤＲＡＭ２３７に格納される。この後、絞り１０３を開放状態に復帰させ（＃２３９）、可動反射ミラー２０１をダウンさせ（＃２４１）、ファインダ光学装置を被写体像観察状態にする。次に、ＳＤＲＡＭ２３７等のバッファメモリに記憶していた画像データを記録媒体（メモリカード）２４５に記録し（＃２４３）、元のルーチンに戻る。
【００５２】
また、スルー画表示モードＭ３００において、レリーズ釦２１が全押しされ、２Ｒがオンとなると、撮影動作Ｂ  Ｍ３３０に入り、前述のステップ＃２３５以下を実行する。各ステップについては、前述している通りであるので説明を繰り返さない。
【００５３】
次に、「スルー画条件の設定１」と「スルー画条件設定２」について図１０を用いて説明する。このサブルーチンは前述したように、液晶モニタ２６に被写体画像を表示する際の画像明度の調整を行うためのものである。まず、スルー画条件設定１のサブルーチンに入ると、ステップＳ２０１において、測光センサ２１１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３は、ここで設定・記憶されたＴＶ１とＳＶ１に基づいてＣＣＤ２２１の駆動制御を行い、光電変換信号の読み出しを行う。ステップＳ２０７にてＴＶ１およびＳＶ１の設定が終了すると元のフローに戻る。
【００５４】
次に、「スルー画条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・前回撮像時の絞り値ＡＶ０
・現在設定されている絞り値ＡＶ１
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶ０＋ＴＶ０＝ＢＶ０＋ＳＶ０
である。
【００５５】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶ０＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０７に進み、このステップを実行した後、元のフローに戻る。
【００５６】
次に、本発明の第２実施形態について図１１を用いて説明する。本発明の第１実施形態においては、除塵釦３９が操作されると、絞り１０３の絞り込み動作を行うと共に、除塵動作を行っていたが、第２実施形態においては、除塵動作を行い、除塵動作終了後に絞り１０３の絞り込みを行って塵埃が除去されたかどうかを確認できるようにしている。この第２実施形態は、第１実施形態における図７に示したスルー画表示モードのフローチャートを図１１に置き換えたものであるので、相違点のみについて説明する。
【００５７】
図１１に示すスルー画表示モードのステップ＃１からステップ＃４５、＃６５は、第１実施形態と同様であるので、同じステップには同一の符号を付して説明を省略する。ステップ＃３９において、判定の結果、電源スイッチがオフでない場合には、ステップ＃８１に進み、除塵釦３９がオンか否かの判定を行う。判定の結果、オンであった場合には、除塵動作が指示されたことから、ステップ＃８３に進み、加振動作を開始する。加振動作は、ステップ＃２５３（図８参照）と同様に、防塵フィルタ駆動回路２１６から圧電素子２２０に駆動信号を印加し、超音波で振動させることにより行う。加振動作を開始すると、防塵フィルタ２１８に付着している塵埃は超音波振動によって払い落とされる。
【００５８】
次に、ステップ＃８５に進み、除塵釦３９の操作が解除され除塵釦がオフとなったかを判定する。判定の結果、オンであれば、すなわち除塵釦３９が操作され続けていた場合には、ステップ＃８７に進み、図１０に示したスルー画条件の設定２のサブルーチンを実行し、液晶モニタ２６が一定明度となるように調節を行う。防塵釦３９が操作されている間は、ステップ＃８５と＃８７を実行し、加振動作を継続して行う。
【００５９】
除塵釦３９の操作が解除されると、ステップ＃８９に進み、加振動作の停止を行う。これによって圧電素子２２０に防塵フィルタ駆動回路２１６から印加されていた駆動信号が停止し、除塵動作が停止する。この後、ステップ＃９１に進み、レンズＣＰＵ１１１に絞り１０３の絞り込み動作を指令する。絞り込み動作が行われると、開放状態でははっきり見ることができなかった、防塵フィルタ２１８に付着した塵埃が除去されたか否かを肉眼で確認することができる。なお、絞り込み動作は最小絞り値まで絞り込むとするが、塵埃の除去状態を確認できる程度の絞り値であれば、最小絞り値である必要はない。このことは第１実施形態や後述する第３実施形態においても同様である。
【００６０】
次に、ステップ＃９３に進み、絞り込み動作がなされてから２秒が経過したかを判定し、２秒が経過していない場合には、ステップ＃９５に進み、ステップ＃８７と同様に、スルー画条件の設定２のサブルーチンを実行する。なお、タイマ時間を２秒としたが、これに限らず、絞り込み状態を維持する時間を適宜変更することができる。ステップ＃９１において、最小絞り値まで絞り込み動作が行われ、ＣＣＤ２２１に到達する被写体光量が減少していることから、液晶モニタ２６に一定明度で表示されるように、電子シャッタ速度等の調整を行う。
【００６１】
絞り込みが行われてから２秒が経過すると、ステップ＃９７に進み、絞り１０３の開放を、レンズＣＰＵ１１１に指令する。ステップ＃８１において、除塵釦３９が操作されておらずオフであった場合、またはステップ＃９７で絞り開放動作が終わると、次に、ステップ＃６５に進み、スルー画条件の設定２を行う。以後の動作は、第１実施形態と同様であるので、説明は省略する。なお、ステップ＃９１において絞り込み動作を行い、塵埃が十分除去されていなかった場合には、再び、除塵釦３９を操作することにより、再度、除塵動作とそれに引き続く絞り込み動作が行われ、塵埃が十分除去されるまで、除塵動作を繰り返すことができる。
【００６２】
このように、本発明の第２実施形態においては、除塵釦３９が操作されると、まず除塵動作を開始する。除塵釦３９の操作が解除されると、絞り込み動作を行い、塵埃の除去状況をスルー画で確認することができる。本実施形態においても、塵埃除去動作を行うと共に塵埃の除去状況を確認できる。なお、本実施形態においては、除塵釦３９を操作している間、除塵動作を継続するようにしたが、第１実施形態と同様に、タイマで決められた所定時間の間、除塵動作を行うようにしても勿論良い。
【００６３】
次に、本発明の第３実施形態について図１２を用いて説明する。第３実施形態においては、除塵動作を開始する前に、絞り込み動作を行い、塵埃の付着状況を確認し、その上で除塵動作を行うか否か決めることができるようにしている。この第３実施形態は、第１実施形態における図７に示したスルー画表示モードのフローチャートを図１２に置き換えたものであるので、相違点のみについて説明する。
【００６４】
図１２に示すスルー画表示モードのステップ＃１からステップ＃４５、＃６５は、第１実施形態と同様であるので、同じステップには同一の符号を付して説明を省略する。ステップ＃３９において、判定の結果、電源スイッチがオフでない場合には、ステップ＃１０１に進み、除塵釦３９がオンか否かの判定を行う。判定の結果、オンであった場合には、ステップ＃１０３に進み、レンズＣＰＵ１１１に絞り１０３の絞り込み動作を指令する。そして、ステップ＃１０７において絞り込み開始から２秒が経過したかを判定し、２秒が経過していない場合には、ステップ＃１０５に戻り、前述のステップを繰り返す。
【００６５】
ステップ＃１０７において、絞り込み開始から２秒が経過したと判定されると、ステップ＃１０９に進み、図８に示した除塵のサブルーチンを実行する。このサブルーチンにおいて、防塵フィルタ駆動回路２１６から圧電素子２２０に駆動信号を印加し、超音波で所定時間の間、振動させる。これによって、防塵フィルタ２１８に付着している塵埃は超音波振動によって払い落とされる。
【００６６】
ステップ＃１０９の除塵動作が終了すると、またはステップ＃１０５において、除塵釦３９がオフとなった場合には、ステップ＃１１１に進み、絞り１０３の開放動作をレンズＣＰＵ１１１に指令する。これによってステップ＃１０３において、絞り込まれた絞り１０３が開放状態となる。絞り開放が終わると、またはステップ＃１０１において、除塵釦３９がオフであった場合には、ステップ＃６５に進み、スルー画条件設定２を行う。これ以後は、第１実施形態と同様であるので、説明は省略する。
【００６７】
このように、本発明の第３実施形態においては、除塵釦３９を操作すると、まず絞り込み動作を行い、防塵フィルタ２１８に付着した塵埃の状況を確認することができる。塵埃が付着していない場合には、除塵釦３９の操作を解除すれば除塵動作を開始することがないので、除塵のための電源消費を防止することができる。塵埃が付着していた場合には、そのまま除塵釦３９の操作を継続すれば、除塵動作を開始する。
【００６８】
なお、本実施形態においては、絞り込んで塵埃付着状況を確認し、除塵動作を行うか否かの判断のために、ステップ＃１０７において２秒間の待機時間を設けたが、この時間は適宜変更することができる。また、タイマのスタートとして絞り込み終了時としたが、これに限らず、除塵釦３９のオン時からでも良く、また絞り込み開始時でも良い。さらに、絞り込み動作を行うと、被写体光量が大幅に減少するので、液晶モニタ２６でのスルー画表示が暗くなるので、スルー画条件の設定２を、ステップ＃１０３〜＃１０９の間で適宜、実行するようにしても良い。
【００６９】
以上、説明したように本実施形態においては、除塵動作を行う際に、併せて絞り込み動作を行うようにしたので、除塵効果を動作中に目で確かめることができ、撮影前に塵埃を除去することができる。
【００７０】
本発明の実施形態の説明にあたっては、デジタル一眼レフカメラを例に挙げたが、これに限らず、撮像素子を有し、この撮像素子の出力に基づいてスルー画を表示することのできるデジタルカメラや電子撮像装置であれば適用できることは勿論である。また、防塵フィルタに限らず、被写体光束を分離するために撮影光路内に配置されたハーフミラーに付着した塵埃についても、同様の機構にて除去動作および確認動作を行うことができる。
【図面の簡単な説明】
【００７１】
【図１】本発明の第１実施形態に係わるデジタル一眼レフカメラの外観斜視図である。
【図２】本発明の第１実施形態に係るデジタル一眼レフカメラの全体構成を示すブロック図である。
【図３】本発明の第１実施形態における除塵機構の断面図である。
【図４】本発明の第１実施形態における防塵フィルタ駆動回路とその周辺回路の回路構成を示す回路図である。
【図５】本発明の第１実施形態における防塵フィルタ駆動回路とその周辺回路の動作を説明するための図４中の各部における信号波形を表すタイムチャート図である。
【図６】本発明の第１実施形態におけるデジタル一眼レフカメラの表示モードおよびその動作モード・メニューの階層構造を示すブロック図である。
【図７】本発明の第１実施形態におけるスルー画表示モードのフローチャートである。
【図８】本発明の第１実施形態における除塵の動作を示すフローチャートである。
【図９】本発明の一実施形態における撮影動作Ａおよび撮影動作Ｂのフローチャートである。
【図１０】本発明の第１実施形態におけるスルー画条件の設定１とスルー画条件の設定２のフローチャートである。
【図１１】本発明の第２実施形態におけるスルー画表示モードのフローチャートである。
【図１２】本発明の第３実施形態におけるスルー画表示モードのフローチャートである。
【符号の説明】
【００７２】
２１  レリーズ釦
２６  液晶モニタ
３３  ファインダ
３９  除塵釦
１００  レンズ鏡筒
１０３  絞り
２００  カメラ本体
２１６  防塵フィルタ駆動回路
２１８  防塵フィルタ
２２０  圧電素子
２２１  ＣＣＤ
２２９  ボディＣＰＵ
２２７  画像処理回路
【図１】
2007318709.tif 000003
【図２】
2007318709.tif 000004
【図３】
2007318709.tif 000005
【図４】
2007318709.tif 000006
【図５】
2007318709.tif 000007
【図６】
2007318709.tif 000008
【図７】
2007318709.tif 000009
【図８】
2007318709.tif 000010
【図９】
2007318709.tif 000011
【図１０】
2007318709.tif 000012
【図１１】
2007318709.tif 000013
【図１２】
2007318709.tif 000014